(57)【要約】【課題】充電対象である携帯型の心電計に磁石を備えることなく電気接点の保護が図られた充電器を提供する。【解決手段】  充電対象の携帯型の心電計２０が載置される筐体１３と、電気接点１２２および磁石１２１を備え、筐体２３に対し上下動自在であって、心電計２０が非載置の状態では自重で下方に位置し、心電計２０の載置によってその心電計２０に備えられた板金２７に磁石１２１が引き寄せられて上方に移動して、心電計２０に備えられた電気接点２８に第１電気接点１２２が電気的に接続される接点部１２とを備えた。【選択図】図７
2017147807.tif 000002
【特許請求の範囲】
【請求項１】
携帯型機器が載置される筐体と、
第１電気接点と磁石とを備え、前記筐体に対し上下動自在であって、前記携帯型機器が非載置の状態では自重で下方に位置し、該携帯型機器の載置によって該携帯型機器に備えられた磁性体に前記磁石が引き寄せられて上方に移動して該携帯型機器に備えられた第２電気接点に前記第１電気接点が電気的に接続される可動体とを備えたことを特徴とする据置型機器。
【請求項２】
前記第１電気接点が、前記携帯型機器に充電用の電力を供給する電気接点であることを特徴とする請求項１に記載の据置型機器。
【請求項３】
前記携帯型機器が載置された状態から持ち上げられたときに該携帯型機器と一体に持ち上げられることを免れる重さを有することを特徴とする請求項１または２に記載の据置型機器。
【請求項４】
前記携帯型機器の幅方向に対応する方向の前記筐体の寸法が該携帯型機器の幅寸法よりも短く、該携帯型機器の幅方向両側が該筐体からはみ出た状態に該携帯型機器が載置されることを特徴とする請求項１から３のうちのいずれか１項に記載の据置型機器。
【請求項５】
前記筐体が、
載置された状態の前記携帯型機器の下面に接する、後方に斜めに下がった斜面に形成された下面支持面と、
載置された状態の前記携帯型機器の背面に接する、前記下面支持面の後方の縁から立ち上がった背面支持面と、
前記下面支持面の前方の縁から立ち上がり上方ほど前記背面支持面との間隔が開いた、該背面支持面よりも上下方向の寸法が短い前壁面と、
が設けられ、載置された状態の前記携帯型機器を支持する支持部を有することを特徴とする請求項１から４のうちのいずれか１項に記載の据置型機器。
【発明の詳細な説明】
【技術分野】
【０００１】
本発明は、携帯型機器が載置されてその携帯型機器と電気的に接続される据置型機器に関する。
【背景技術】
【０００２】
従来より、携帯型機器が載置される据置型の充電器など、携帯型機器が載置されてその携帯型機器と電気的に接続される据置型機器が知られている。
【０００３】
ここで、医療用機器の場合、その機器が携帯型であっても、その機器の電気接点に指が触れることがないように、その機器に指で触れても電気接点には５ｍｍ以下には近づけない構造とすることが求められている機器もある。そのような機器の場合、機器筐体の下面に、指が入り込まない程度の寸法の窪み部を形成して、その窪み部の奥に電気接点を設ける構造が採用される。
【０００４】
したがって、その機器が載置される充電器には、その窪み部に差し込まれる突起部を形成し、その突起部に充電用の電気接点を設ける構造が採用される。
【０００５】
しかしながら、この構造を採用すると、機器筐体下面の窪み部の位置やその向きを充電器の突起部に正確に合わせて載置する必要があるため、載置される機器を正確に案内する構造を充電器に備える必要があり、充電器が大型化するおそれがある。また、突起部を窪み部に差し込み、あるいは突起部を窪み部から抜き取るのに相応の力が必要となる。このため、抜き取りの際には、充電器を手で押えながら抜き取ることになる。
【０００６】
さらに、充電器には突起部に電気接点が設けられているため、その突起部が他の部材等に接触して変形や破損等を生じさせないように、突起部の保護の観点も必要となる。
【０００７】
ここで、特許文献１には、磁石を使うことで、コネクタどうしの接続を容易にするとともにコネクタの保護を可能としたマグネットコネクタが提案されている。
【０００８】
この特許文献１において提案されたマグネットコネクタは、第１のコネクタのコンタクトが、第２のコネクタが不在のときは第１のコネクタ自体に備えられたマグネットに吸引され、第２のコネクタが係合するとその第２のコネクタのマグネットに吸引されて第２のコネクタのコンタクトに導通する構造を有する。
【先行技術文献】
【特許文献】
【０００９】
【特許文献１】特開２０１４−１６５１１５号公報
【発明の概要】
【発明が解決しようとする課題】
【００１０】
上述の携帯型機器と充電器に上掲の特許文献１で提案された考え方を適用し、携帯型機器が載置されていないときは上記の突起部を充電器に備えられた磁石に引き寄せることで突起部を収納しておき、携帯型機器が載置されるとその携帯型機器に備えられた磁石で突起部を引き寄せて突出させることが考えられる。
【００１１】
しかしながら、この構造を採用すると、携帯型機器と充電器の双方に磁石を備え、しかも携帯型機器側には、充電器側の磁石に打ち勝って突起部（電気接点）を引き寄せるだけの強力な磁石を備える必要がある。
【００１２】
携帯型機器には、電子部品等の様々な部品が内蔵されており、したがって携帯型機器に強力な磁石を備えると誤作動などの様々な障害が発生するおそれがあり、このおそれをなくすための確実な磁気シールドが必要となる。また、強力な磁石は重量も大きく、したがって携帯型機器の重さを増す要因ともなる。
【００１３】
本発明は、上記事情に鑑み、携帯型機器に磁石を備えることなく電気接点の保護が図られた据置型機器を提供することを目的とする。
【課題を解決するための手段】
【００１４】
上記目的を達成する本発明の据置型機器は、
携帯型機器が載置される筐体と、
第１電気接点と磁石とを備え、上記筐体に対し上下動自在であって、携帯型機器が非載置の状態では自重で下方に位置し、携帯型機器の載置によってその携帯型機器に備えられた磁性体に上記磁石が引き寄せられて上方に移動してその携帯型機器に備えられた第２電気接点に上記第１電気接点が電気的に接続される可動体とを備えたことを特徴とする。
【００１５】
本発明の据置型機器の場合、上記の可動体は、携帯型機器が非載置の状態では下方に位置するため、第１電気接点の保護が図られる。また、本発明の据置型機器の場合、携帯型機器が非載置の状態では自重で下方に位置するため、可動体に磁石を備え、携帯型機器には、例えば薄い１枚の鉄板等の磁性体を備えればよく、磁力による傷害の発生や重量の増加を抑えた携帯型機器とすることができる。
【００１６】
ここで、本発明の据置型機器において、上記第１電気接点が、携帯型機器に充電用の電力を供給する電気接点であることが好ましい態様の１つである。
【００１７】
本発明の据置型機器は、携帯型機器への充電を担う充電器に好適に適用することができる。
【００１８】
また、本発明の据置型機器は、上記携帯型機器が載置された状態から持ち上げられたときにその携帯型機器と一体に持ち上げられることを免れる重さを有することが好ましい。
【００１９】
本発明の据置型機器を携帯型機器とは一緒には持ち上げられない重量とすることにより、携帯型機器の着脱、特に取外しの際の使い勝手が向上する。
【００２０】
さらに、本発明の据置型機器において、携帯型機器の幅方向に対応する方向の筐体の寸法が携帯型機器の幅寸法よりも短く、携帯型機器の幅方向両側が筐体からはみ出た状態に携帯型機器が載置されることが好ましい。
【００２１】
また、本発明の据置型機器において、上記筐体が、
載置された状態の携帯型機器の下面に接する、後方に斜めに下がった斜面に形成された下面支持面と、
載置された状態の携帯型機器の背面に接する、下面支持面の後方の縁から立ち上がった背面支持面と、
下面支持面の前方の縁から立ち上がり上方ほど背面支持面との間隔が開いた、その背面支持面よりも上下方向の寸法が短い前壁面と、
が設けられ、載置された状態の携帯型機器を支持する支持部を有することが好ましい。
【００２２】
可動体は、その可動体に備えられた磁石と携帯型機器に備えられた磁性体とが対面したときに引き寄せられるため、セルフアライメント的に位置合わせされる。したがって、据置型機器の小型化が可能である。また、携帯型機器載置を正確に案内する構造は不要であって上記の構造程度の緩い案内構造で足り、携帯型機器の着脱の際の携帯型機器の位置や姿勢の自由度が大きく、着脱の操作性が向上する。
【発明の効果】
【００２３】
以上の本発明によれば、携帯型機器に磁石を備えることなく電気接点の保護が図られた据置型機器を提供することができる。
【図面の簡単な説明】
【００２４】
【図１】本発明の据置型機器の一実施形態としての据置型の充電器の外観斜視図である。
【図２】図１に示す充電器に、この充電器の充電対象である携帯型の心電計が載置された状態を示した側面図である。
【図３】図１に示す充電器に、この充電器の充電対象である携帯型の心電計が載置された状態を示した正面図である。
【図４】図１に示す矢印Ｘ−Ｘに沿う、充電器の断面図である。
【図５】図１に示す矢印Ｘ−Ｘに沿う、充電器の断面図である。
【図６】図１に示す矢印Ｙ−Ｙに沿う、充電器の断面図である。
【図７】心電計が載置された状態の、図１に示す矢印Ｙ−Ｙに沿う断面図である。
【発明を実施するための形態】
【００２５】
以下、本発明の実施の形態について説明する。
【００２６】
図１は、本発明の据置型機器の一実施形態としての据置型の充電器の外観斜視図である。
【００２７】
また、図２，図３は、図１に示す充電器に、この充電器の充電対象である携帯型の心電計が載置された状態を示した、それぞれ側面図および正面図である。
【００２８】
この充電器１０は、医療用機器の１つである、図２，図３に示す形状の携帯型の心電計２０を充電対象とする充電器である。この充電器１０は、先端に電源プラグが接続された不図示の電源ケーブルを備えており、その電源プラグが商用電源のコンセントに差し込まれて商用電力の供給を受け、その電力で充電対象の心電計２０を充電する。
【００２９】
この充電器１０の筐体１３には、図１に示す溝形状の支持部１１が設けられている。この充電器１０には、図２，図３に示すように、心電計２０が、その心電計２０の下部中央部分を支持部１１に載せた状態に支持される。この支持部１１には接点部１２が備えられている。この接点部１２には、図６に示すように、磁石１２１と、その磁石１２１の両側に３つずつ、合計６つの電気接点１２２が備えられている。この接点部１２は、この充電器１０の筐体１３に対し上下動自在である。また、この接点部１２に備えられている６つの電気接点１２２は、３つずつが互いに接続されていて、支持部１１に支持された状態の心電計２０に充電用の電力を供給する。
【００３０】
この接点部１２は、本発明にいう可動部の一例に相当する。また、その接点部１２に備えられている磁石１２１および電気接点１２２は、本発明にいう、それぞれ、磁石および第１電気接点の各一例に相当する。この接点部１２についての詳細については後述する。
【００３１】
この充電器１０には、その支持部１１に、充電対象の心電計２０が、図２，図３に示す姿勢に載置される。この充電器１０は、小型であって、図３に示すように、その幅寸法Ｗ１が心電計２０の幅寸法Ｗ２よりも狭幅であって、心電計２０は、この充電器１０に、心電計２０の幅方向の両側が充電器２０の筐体１３からはみ出た状態に載置される。
【００３２】
図４，図５は、いずれも、図１に示す矢印Ｘ−Ｘに沿う、充電器の断面図である。ここで、図４には、下がった位置にある状態の接点部１２が示されていて、図５には、上方に移動した状態にある接点部１２が示されている。
【００３３】
また、図６は、図１に示す矢印Ｙ−Ｙに沿う、充電器の断面図である。この図６には、図５と同様、上方に移動した状態にある接点部１２が示されている。接点部１２が下方の位置にある状態では、接点部１２は、筐体１３内にほぼ収納されている。したがって、この下方の位置にある接点部１２に他の部材等が不用意に接触する可能性は低く、接点部１２の保護が図られている。
【００３４】
この接点部１２には、前述の通り、磁石１２１と図６に示す電気接点１２２が備えられている。この接点部１２は、支持部１１に心電計２０（図２，図３参照）が載置されていないときは、その接点部１２の自重で、図４に示すように、下方に位置した状態にある。そして、その接点部１２に心電計２０が載置されると、磁石１２１と、心電計２０に備えられている鉄の板金２７（図７）とが引き合い、接点部１２が、図５，図６に示す位置まで上方に移動し、支持部１２の、心電計２０の下面２１を支持する下面支持面１１１から突き出た状態となる。心電計２０に備えられている板金２７は本発明にいう磁性体の一例に相当する。
【００３５】
ここで充電器１０に支持部１１は、上記の下面支持面１１１のほか、背面支持面１１２と前壁面１１３とを有する。
【００３６】
下面支持面１１１は、そこに載せられる心電計２０の下面２１に接する面であって、後方に斜めに下がった斜面に形成されている。
【００３７】
また、背面支持面１１２は、下面支持面１１１の後方の縁からやや斜めに立ち上がった面であって、支持部１１に載せられた心電計２０の背面に接する面である。
【００３８】
また、前壁面１１３は、背面支持面１１２と比べ上下方向の寸法が短い面であって、下面支持面１１１の前方の縁から立ち上がり、背面支持面１１２との間隔が上方ほど開いた面である。
【００３９】
このように、本実施形態の充電器１０の支持部１１は、下面支持面１１１が斜面に形成されているため、載置された心電計２０の下面２１と背面２２を、下面支持面１１１と背面支持面１１２とで支持することになる。また、前壁面１１３の高さが低く、かつ、上方ほど前壁面１１３と背面支持面１１２との間隔が開いた形状を有し、このため、心電計２０の載置や取出し時の動きや姿勢の自由度が高く、取り扱いやすい形状となっている。
【００４０】
心電計２０の載置にあたっては、接点部１２の磁石１２１と心電計２０の板金２７が互いに引き合って互いの位置が合うため、上記のように動きや姿勢の自由度を高めた形状の支持部１１であっても、心電計２０は、セルフアライメント的に正しい位置及び姿勢に安定的に載置される。
【００４１】
図７は、心電計が載置された状態の、図１に示す矢印Ｙ−Ｙに沿う断面図である。
【００４２】
ここでは、心電計２０は、その筐体２３の断面と、板金２７と電気接点２８のみ示し、心電計２０に内蔵されている部品等の図示は省略されている。
【００４３】
この心電計２０の下面２１には、その左右の中央部分に、窪み部２１１が形成されていて、その窪み部２１１の内側に、板金２７と電気接点２８が備えられている。この電気接点２８は、本発明にいう第２電気接点の一例に相当する。
【００４４】
充電器１０に心電計２０が載せられていない状態では、接点部１２は、図４に示すように、下方の位置に自重で下がっている。そして、充電器１０に心電計２０が載置されると、接点部１２の磁石１２１と心電計２０の板金２７とが互いに引き合って、接点部１２が、この図７に示す位置まで上方に移動する。
【００４５】
心電計２０の下面２１の窪み部２１１には、磁石１２１の両側に３つずつ、合計６つの電気接点２８が備えられている。それら６つの電気接点２８はその１つずつが、接点部１２に備えられている６つの電気接点１２２の１つずつに対応した位置に備えられていて、接点部１２が上方に移動すると、互いに対応する電気接点１２２と電気接点２８とが接触して、電気的に接続される。各６つの電気接点１２２，２８は、各３つずつが電気的に接続されていて、それらの電気接点１２２，２８を経由して、心電計２０に電力が送り込まれる。そして、心電計２０に送り込まれた電力により、心電計２０に備えられている不図示のバッテリが充電される。
【００４６】
磁石１２１は、載置された心電計２０の板金２７に引き寄せられて接点部１２を持ち上げるのに十分な磁力であるとともに、充電器１０の全体を持ち上げるには力が不足するレベルの磁力を有する。したがって、充電器１０に載置された心電計２０を持ち上げると、充電器１０までは一緒に持ち上げられてしまうことなく、心電計２０のみを持ち上げることができる。心電計２０が持ち上げられると、接点部１２は、その自重で、図４に示した、下方の位置まで落下する。
【００４７】
なお、ここでは、本発明にいう携帯型機器の一例として携帯型の心電計２０を取り上げて、その心電計２０を充電対象とする充電器１０について説明したが、本発明は、心電計以外の携帯型の医療用機器等、様々な携帯型機器の充電に適用することができる。
【００４８】
また、本発明の据置型機器は、充電器のみでなく、信号を伝送するための電気接点を備えた機器にも適用することができる。
【符号の説明】
【００４９】
１０    充電器
１１    支持部
１１１  下面支持面
１１２  背面支持面
１１３  前壁面
１２    接点部
１２１  磁石
１２２  電気接点
２０    心電計
２１    下面
２１１  窪み部
２２    背面
２３    筐体
２７    板金
２８    電気接点
【図１】
2017147807.tif 000003
【図２】
2017147807.tif 000004
【図３】
2017147807.tif 000005
【図４】
2017147807.tif 000006
【図５】
2017147807.tif 000007
【図６】
2017147807.tif 000008
【図７】
2017147807.tif 000009